(57)【特許請求の範囲】
【請求項１】
表表紙が、裏表紙に対して、背部を介して見開き及び折り畳み自在に構成された鍵盤楽器付きノートブックであって、
前記裏表紙の自由端部側の内側面に設けられ、鍵並び方向が前記背部に平行となるように配設された鍵盤楽器部と、
前記裏表紙の前記背部に近い側の端部に設けられた綴じ部と、
前記背部と前記鍵盤楽器部との間において、前記裏表紙の内側面に設けられ、前記綴じ部に綴じられて、前記表表紙の開閉方向と同じ方向にめくることができるように配設された用紙束とを有し、
前記鍵盤楽器部は、複数の白鍵と、各白鍵よりも上方に突出した複数の黒鍵とを有してなり、前記表表紙には、前記各黒鍵に対応する窓部が形成され、前記表表紙を折り畳んだ状態で、前記各黒鍵が、対応する窓部に入り込むように構成されたことを特徴とする鍵盤楽器付きノートブック。
【請求項２】
前記鍵盤楽器部は、電子回路部を有する電子鍵盤楽器として構成され、前記鍵盤楽器部の左右いずれかの端部に前記電子回路部が配設されたことを特徴とする請求項１記載の鍵盤楽器付きノートブック。
【請求項３】
前記表表紙を折り畳んだ状態では、前記表表紙が前記電子回路部に対向当接するように構成され、前記電子回路部の左右方向外側の側面に、操作部が突設されたことを特徴とする請求項２記載の鍵盤楽器付きノートブック。
【請求項４】
表表紙が、裏表紙に対して、背部を介して見開き及び折り畳み自在に構成された鍵盤楽器付きノートブックであって、
複数の白鍵と、各白鍵よりも上方に突出した複数の黒鍵とを有してなり、前記裏表紙の自由端部側の内側面に設けられ、鍵並び方向が前記背部に平行となるように配設された鍵盤楽器部を有し、
前記表表紙には、前記各黒鍵に対応する窓部が形成され、前記表表紙を折り畳んだ状態で、前記各黒鍵が、対応する窓部に入り込むように構成されたことを特徴とする鍵盤楽器付きノートブック。
【請求項５】
前記表表紙を折り畳んだ状態で、前記各黒鍵の上面が、前記表表紙の外側面と面一となるように構成されたことを特徴とする請求項４記載の鍵盤楽器付きノートブック。
【請求項６】
前記裏表紙の前記背部に近い側の端部に設けられた綴じ部と、前記背部と前記鍵盤楽器部との間において、前記裏表紙の内側面に設けられ、前記綴じ部に綴じられて、前記表表紙の開閉方向と同じ方向にめくることができるように配設された用紙束とを有することを特徴とする請求項４または５記載の鍵盤楽器付きノートブック。
【請求項７】
前記綴じ部は、前記背部に沿って複数配列されたリング状部材でなり、前記用紙束は前記各リング状部材に対応する貫通穴を有し、前記複数のリング状部材が対応する貫通穴を貫通していることで、前記用紙束が前記綴じ部に綴じられており、鍵並び方向における前記各リング状部材の配置は、前記複数の各黒鍵の配置と一致していることを特徴とする請求項６記載の鍵盤楽器付きノートブック。
【請求項８】
前記表表紙を折り畳んで前記表表紙が前記用紙束を覆った状態においても、前記鍵盤楽器部が露出し、演奏が行えるように構成されたことを特徴とする請求項４〜７のいずれか１項に記載の鍵盤楽器付きノートブック。
【発明の詳細な説明】
【技術分野】
【０００１】
本発明は、見開き及び折り畳み自在な鍵盤楽器付きノートブックに関する。
【背景技術】
【０００２】
従来、下記特許文献１〜４に示されるように、鍵盤楽器をノートブック型の絵本に設けたものが知られている。これらの絵本乃至ノートブックでは、左右に見開いたノートの手前側に鍵盤楽器が配置される。また、下記特許文献１では特に、鍵盤楽器の上方に、音符表が設けられ、この音符表は、表紙と同じように左右方向にめくるようになっている。
【特許文献１】実開昭６１−１１６３８１号公報
【特許文献２】実開昭６２−１２０７９４号公報
【特許文献３】実公平０４−０２９６８０号公報
【特許文献４】実開平０５−０５９４８１号公報
【発明の開示】
【発明が解決しようとする課題】
【０００３】
しかしながら、上記特許文献１〜４では、鍵盤楽器は、左右に見開いたノートの左または右のいずれかにおいて、鍵並び方向を左右方向として配置されるため、１枚の表紙の左右方向の長さ分しか鍵盤長さを確保できない。そのため、多くの鍵数を配置できず、音域が狭くなる。このような狭い音域では、幼児用の玩具としては十分であっても、音楽家にとっては、出先にて作曲等の創作を行う際に演奏操作が行いにくい。
【０００４】
また、上記特許文献１〜４では、ノートブックを薄く設計するために、鍵盤部も薄く設計され、特に、黒鍵が白鍵に対して上方にほとんど突出していないものもある。黒鍵の突出が一般の鍵盤楽器に比し小さいと、鍵盤演奏に慣れた音楽家にとっては特に、演奏しにくい。ブラインドタッチも困難である。
【０００５】
音楽家が、出先でふと思いついたフレーズ等を演奏して確認する場合のように、外出時に携帯し、いつでも取り出して演奏できるような機動力が重要である。しかし、それだけでなく、鍵寸法を小さくし過ぎることなく十分な音域を確保するのが望ましい。また、黒鍵の突出高さも一般の鍵盤楽器に近いものであるのが望ましい。その一方、あまりにノートブックを長大化したり、厚くしたりすると、携帯性が悪化する。
【０００６】
本発明は上記従来技術の問題を解決するためになされたものであり、その目的は、出先等での演奏操作を行い易くすることができる鍵盤楽器付きノートブックを提供することにある。
【課題を解決するための手段】
【０００７】
上記目的を達成するために本発明の請求項１の鍵盤楽器付きノートブックは、表表紙（１４）が、裏表紙（１７）に対して、背部（１０）を介して見開き及び折り畳み自在に構成された鍵盤楽器付きノートブックであって、前記裏表紙の自由端部（１７ａ）側の内側面（１７ｃ）に設けられ、鍵並び方向が前記背部に平行となるように配設された鍵盤楽器部（２０）と、前記裏表紙の前記背部に近い側の端部（１７ｂ）に設けられた綴じ部（３２）と、前記背部と前記鍵盤楽器部との間において、前記裏表紙の内側面に設けられ、前記綴じ部に綴じられて、前記表表紙の開閉方向と同じ方向にめくることができるように配設された用紙束（３０）とを有し、前記鍵盤楽器部は、複数の白鍵と、各白鍵よりも上方に突出した複数の黒鍵とを有してなり、前記表表紙には、前記各黒鍵に対応する窓部が形成され、前記表表紙を折り畳んだ状態で、前記各黒鍵が、対応する窓部に入り込むように構成されたことを特徴とする。
【０００９】
好ましくは、前記鍵盤楽器部は、電子回路部（２３）を有する電子鍵盤楽器として構成され、前記鍵盤楽器部の左右いずれかの端部に前記電子回路部が配設される。
【００１０】
好ましくは、前記表表紙を折り畳んだ状態では、前記表表紙が前記電子回路部に対向当接するように構成され、前記電子回路部の左右方向外側の側面に、操作部（２５）が突設される。
【００１３】
上記目的を達成するために本発明の請求項４の鍵盤楽器付きノートブックは、表表紙（１４）が、裏表紙（１７）に対して、背部（１０）を介して見開き及び折り畳み自在に構成された鍵盤楽器付きノートブックであって、複数の白鍵と、各白鍵よりも上方に突出した複数の黒鍵とを有してなり、前記裏表紙の自由端部側の内側面に設けられ、鍵並び方向が前記背部に平行となるように配設された鍵盤楽器部（２０）を有し、前記表表紙には、前記各黒鍵に対応する窓部（１６）が形成され、前記表表紙を折り畳んだ状態で、前記各黒鍵が、対応する窓部に入り込むように構成されたことを特徴とする。
【００１４】
好ましくは、前記表表紙を折り畳んだ状態で、前記各黒鍵の上面が、前記表表紙の外側面と面一となるように構成される。
【００１５】
なお、上記括弧内の符号は例示である。
【発明の効果】
【００１６】
本発明の請求項１によれば、鍵盤楽器部の広い音域を確保して、演奏操作を行い易くすることができる。また、用紙を横長に設計しやすく、出先での創作記録等の音楽に関する作業を便利にすることができる。また、白鍵に対する黒鍵の突出高さを十分に確保した設計が容易となり、演奏操作性を犠牲にすることなく、折り畳み状態での厚みを薄くして携帯性を良好にすることができる。また、黒鍵という突出したものが窓部に入り込んだ状態をノートブックが閉じられた状態としているので、ノートブックを持ち運ぶ際に、表表紙、用紙束、裏表紙の３つがねじれを起こしにくく、耐久性にも寄与する。
【００１８】
請求項３によれば、突出した操作部を電子回路部の上面に設ける構成に比し、折り畳み時の厚みを薄くすることができる。
【００２１】
本発明の請求項４によれば、白鍵に対する黒鍵の突出高さを確保して、演奏操作を行い易くすると共に、折り畳み状態での厚みを薄くして携帯性を高めることができる。
【００２２】
請求項５によれば、折り畳み状態での厚みを薄くしつつ、黒鍵の突出高さを最大限に確保することができる。
【発明を実施するための最良の形態】
【００２３】
以下、本発明の実施の形態を図面を参照して説明する。
【００２４】
（第１の実施の形態）
図１は、本発明の第１の実施の形態に係る鍵盤楽器付きノートブックの見開き状態の平面図である。このノートブックは、それぞれ複数の白鍵２１及び黒鍵２２を有する鍵盤楽器部２０を備える。以降、鍵盤楽器部２０側に奏者が位置するとして、奏者側を前方、白鍵２１及び黒鍵２２の並び方向（以下、「鍵並び方向」という）を左右方向とする。
【００２５】
このノートブックは、表表紙１４が、裏表紙１７に対して、背部１０を介して見開き及び折り畳み自在に構成される。
【００２６】
図２（ａ）は、見開き状態のノートブックを奏者側からみた図（正面図）である。図２（ｂ）は、表表紙１４を閉じかけた状態のノートブックの左側面図である。
【００２７】
背部１０は、背表紙１１と、その前後両側の折曲部１２、１３とでなる（図１、図２（ｂ）参照）。表表紙１４、背部１０及び裏表紙１７は、それぞれ、例えば、複数の厚紙や板等を重ねてなり、両面に樹脂等でなるシートが貼られている。表表紙１４と裏表紙１７とが背部１０で接続されて、一体に構成される。折曲部１２、１３は、例えば、肉薄に形成され、表表紙１４及び裏表紙１７が互いに内側に折れ曲がるようになっている。背部１０の構造は、これに限られず、表表紙１４を裏表紙１７に対して開閉可能にするヒンジ構造であればよい。
【００２８】
裏表紙１７の内側面１７ｃにおける、裏表紙１７の、背部１０から遠い側（自由端部１７ａの側）には、鍵盤楽器部２０が配設固定される。鍵盤楽器部２０の鍵並び方向は、背部１０に平行である。ノートブックは、閉じた（折り畳んだ）状態でＡ４サイズほどであり、鍵盤楽器部２０においては、２オクターブ半ほどの音域が確保されている。
【００２９】
黒鍵２２の押鍵面である上面２２ａは、白鍵２１の押鍵面である上面２１ａよりも上方に突出しており、高さに関しては、一般の鍵盤楽器のものに近い鍵盤構成となっている（図２（ａ）、（ｂ）参照）。従って、鍵盤演奏に慣れたユーザにとっても、演奏操作を違和感なく行える。
【００３０】
鍵盤楽器部２０の左端部には、電子回路部２３が配設されている。特に、電子回路部２３は、最低音の白鍵２１の左側に隣接して配設される。電子回路部２３の上面には不図示のスピーカからの音を放音する放音部２４が配設されているが、電子回路部２３の上面は平坦になっている。電子回路部２３は、押鍵操作に応じてピアノ等の楽音を発生させるための機能を果たし、従って、鍵盤楽器部２０は電子鍵盤楽器である。
【００３１】
電子回路部２３の左右方向外側の端面である左端面２３ａからは、各種スイッチや楽音制御操作子等の操作部２５（２５Ａ〜２５Ｄ）が突設されている。電子回路部２３の前端面には、音声出力用のジャック端子２６が設けられている（図２（ａ）、（ｂ）参照）。操作部２５やジャック端子２６が電子回路部２３の上面に設けられていないので、上面を平坦に設計するのが容易となっている。電子回路部２３の上面は、白鍵２１の上面２１ａと面一である。なお、電子回路部２３を鍵盤楽器部２０の右端部に設けてもよく、その場合は、操作部２５は、右側面に突設するのがよい。
【００３２】
裏表紙１７の内側面１７ｃにおける、背部１０に近い側の端部１７ｂには、複数のリング状部材３３が背部１０に沿って配列され、これらのリング状部材３３が、綴じ部３２を構成している（図１、図２（ｂ）参照）。一般のリング式ファイルと同様に、各リング状部材３３は、端部１７ｂに対して固定されていて、且つ、環状部が開閉自在に構成されている。左右方向におけるリング状部材３３の配置は、黒鍵２２の配置と一致している。
【００３３】
背部１０と鍵盤楽器部２０との間において、裏表紙１７の内側面１７ｃには、用紙束３０が配設される。用紙束３０の左右方向の長さは鍵盤楽器部２０とほぼ同じであり、前後方向については、鍵盤楽器部２０の後端から折曲部１３までの長さとほぼ同じである。用紙束３０は多数の用紙が重ねられたものであり、全用紙に共通の複数の貫通穴３１が形成されている。左右方向における貫通穴３１の形成位置は、黒鍵２２の配置と一致している。各貫通穴３１を、対応するリング状部材３３が貫通しており、これにより、用紙束３０が綴じ部３２に綴じられ、表表紙１４の開閉方向と同じ方向に各用紙をめくることができるようになっている。
【００３４】
表表紙１４の自由端部１４ａ側の半部において、各黒鍵２２に対応する複数の窓部１６が形成されている（図１参照）。各窓部１６は、表表紙１４が閉じられた状態で、対応する黒鍵２２と一致する位置に形成されている。しかも、各窓部１６は長方形の貫通穴であり、それらの形状は、黒鍵２２に対して嵌合的な形状となっている。各窓部１６のサイズは、黒鍵２２が遊嵌される程度に、黒鍵２２の外郭より若干大きい。
【００３５】
裏表紙１７の自由端部１７ａには、マグネット１８が、例えば、離間した２カ所に埋め込まれている（図１参照）。一方、表表紙１４の自由端部１４ａには、鉄等の磁性体でなる突条部１５が、自由端部１４ａの縁に沿って突設されている（図１、図２（ｂ）参照）。
【００３６】
表表紙１４を閉じると（図２（ｂ）参照）、突条部１５が裏表紙１７に当接し、突条部１５とマグネット１８との吸着力によって、閉じた状態で安定する。それと同時に、表表紙１４が、電子回路部２３の上面及び白鍵２１の上面２１ａに対向当接する。主に、表表紙１４と電子回路部２３の上面との当接、及び、突条部１５と裏表紙１７との当接によって、表表紙１４の閉じた際の位置が規制される。なお、突条部１５とマグネット１８とを設けることは必須でない。
【００３７】
ここで、表表紙１４を完全に閉じた状態では、表表紙１４と裏表紙１７とが平行になるように、突条部１５の突出高さ及び背表紙１１の幅が設定されている。また、リング状部材３３は、多少の変形が可能な材料で構成されており、表表紙１４と裏表紙１７とは平行になることの妨げにならない。
【００３８】
また、表表紙１４を完全に閉じた状態では、表表紙１４の窓部１６に、対応する黒鍵２２が入り込む。本実施の形態では、黒鍵２２の上面２２ａが、表表紙１４の外側面１４ｂ（図２（ａ）、（ｂ）参照）と面一となるようになっている。これにより、すっきりとした外観になると共に、ノートブックの携帯時乃至収納時の厚みを薄くすることができる。
【００３９】
本実施の形態によれば、鍵盤楽器部２０が、裏表紙１７の自由端部１７ａの側において、鍵並び方向が背部１０と平行となるように配設されたので、ノートブックの裏表紙１７の長手方向の長さを鍵域に利用できる。これにより、鍵盤楽器部２０の広い音域を確保して、演奏操作を行い易くすることができる。
【００４０】
また、用紙束３０が、背部１０と鍵盤楽器部２０との間に配設されたので、用紙束３０を横長に設計しやすい。そのため、用紙が横方向に長いことから、楽譜等をメモする上で都合がよく、出先での創作記録等の音楽に関する作業を便利にすることができる。また、用紙のめくり方向も、表表紙１４と同じなので、使いやすい。
【００４１】
また、表表紙１４を折り畳んだ状態で、各黒鍵２２が、表表紙１４の対応する窓部１６に入り込むので、白鍵２１に対する黒鍵２２の突出高さを十分に確保した設計が容易となり、演奏操作性を犠牲にすることなく、折り畳み状態での厚みを薄くして携帯性を良好にすることができる。また、黒鍵２２という突出したものが窓部１６に入り込んだ状態をノートブックが閉じられた状態としているので、黒鍵２２と窓部１６との係合によって、ノートブックを持ち運ぶ際に、表表紙１４、用紙束３０、裏表紙１７の３つがねじれを起こしにくく、耐久性にも寄与する。しかも、黒鍵２２の上面２２ａが、表表紙１４の外側面１４ｂと面一となるので、ノートブックの折り畳み状態での厚みを薄くしつつ、黒鍵２２の突出高さを最大限に確保して演奏操作性を向上させることができる。外観も向上する。
【００４２】
また、表表紙１４を折り畳んだ状態では、表表紙１４が電子回路部２３の上面に対向当接するので、電子回路部２３が折り畳み位置を規制するストッパ機能を果たし、折り畳み状態が安定する。さらに、操作部２５が電子回路部２３の左端面２３ａに設けられているので、電子回路部２３の上面にこれらを設ける構成に比し、表表紙１４の折り畳み時におけるノートブックの厚みを薄くすることができる。
【００４３】
また、左右方向において、表表紙１４の窓部１６及び用紙束３０の貫通穴３１が、黒鍵２２の配置と一致しているので、見開き状態での外観を向上させることができる。また、例えば、製造時において、窓部１６、貫通穴３１、鍵盤楽器部２０のいずれかの位置決めの際に、これらのうち先に位置決めしたものを基準とすることができ、製造上便利である。
【００４４】
（第２の実施の形態）
図３（ａ）は、本発明の第２の実施の形態に係るノートブックの表表紙を閉じかけた状態を示す左側面図である。本実施の形態では、第１の実施の形態に比し、表表紙１４が、用紙対応部１４Ａと鍵盤対応部１４Ｂとに分けて構成される点が異なり、その他の構成は同様である。鍵盤対応部１４Ｂは、用紙対応部１４Ａに対して、折曲部１９を介して、水平状態から開く方向に折り曲げ可能に構成される。
【００４５】
図３（ｂ）は、折曲部１９の拡大図である。折曲部１９は、例えば、表表紙１４の内側面に、用紙対応部１４Ａと鍵盤対応部１４Ｂとを分けるスリット１９ａとして構成される。スリット１９ａの上方において、弾性を有する補強材３４が埋設されている。ただし、折曲部１９の構成は一例であり、閉じた用紙対応部１４Ａに対して、鍵盤対応部１４Ｂを開けることができるヒンジ構造であればよい。
【００４６】
用紙対応部１４Ａと鍵盤対応部１４Ｂとを真直にして閉じれば、第１の実施の形態と同様の折り畳み状態となる。この折り畳み状態において、折曲部１９を回動軸として、用紙対応部１４Ａに対して重なるまで鍵盤対応部１４Ｂを回動させて折り畳むことができる。そうすると、鍵盤楽器部２０が露出するので、演奏操作が可能となる。しかも、表表紙１４全体を開けた状態に比し、前後方向の寸法が半分で済むので、スペースが小さくて済む。
【００４７】
本実施の形態によれば、表表紙１４を折り畳んで用紙対応部１４Ａが用紙束３０を覆った状態においても、鍵盤楽器部２０が露出するので、狭い場所でも演奏を行うことができる。
【００４８】
なお、用紙束３０を覆った状態においても鍵盤楽器部２０を露出させて狭い場所でも演奏を可能にする観点に限って言えば、図３（ｃ）に示す第１変形例のように、上記した鍵盤対応部１４Ｂを廃止し、表表紙１４を、上記した用紙対応部１４Ａに相当する構成としてもよい。
【００４９】
なお、図３（ｄ）に示す第２変形例のように、リング状部材３３が表表紙１４を貫通するように設けてもよい。この場合は、表表紙１４に、各リング状部材３３が貫通可能なスリットを設ける。このようにすると、背部１０の近傍の厚みがリング状部材３３で決まり、少し厚くなってしまうというデメリットがある。しかし一方、背部１０が外力で痛みやすいところ、リング状部材３３によって背部１０が保護されやすくなる。従って、耐久性を向上させるというメリットがある。
【００５０】
ところで、上記各実施の形態において、各黒鍵２２が、表表紙１４の窓部１６に少しでも入り込めば、その分だけ、ノートブックを厚くすることなく黒鍵２２を高く設計できる。従って、ノートブックを薄くする上では、黒鍵２２の上面２２ａが表表紙１４の外側面１４ｂと面一になることは必須でなく、上面２２ａが低くてもよいし、突き出てもよい。
【００５１】
なお、表表紙１４の窓部１６は貫通穴であったが、ノートブックを薄くする上では、黒鍵２２が入り込めればよいので、止まり穴でもよい。また、止まり穴とする際には、窓部１６に透明枠を設けるか、表表紙１４の外側面１４ｂ側から全体に透明シートを被せる等によって、黒鍵２２が視認できるように構成してもよい。
【００５２】
なお、ノートブックを薄くする観点に限って言えば、鍵盤楽器部２０及び用紙束３０の配置位置や向きは問わない。
【図面の簡単な説明】
【００５３】
【図１】本発明の第１の実施の形態に係る鍵盤楽器付きノートブックの見開き状態の平面図である。
【図２】見開き状態のノートブックを奏者側からみた図（正面図）（図（ａ））、表表紙を閉じかけた状態のノートブックの左側面図（図（ｂ））である。
【図３】本発明の第２の実施の形態に係るノートブックの表表紙を閉じかけた状態を示す左側面図（図（ａ））、折曲部の拡大図（図（ｂ））、第１変形例のノートブックの表表紙を閉じかけた状態を示す左側面図（図（ｃ））、第２変形例のノートブックの表表紙を閉じた状態を示す部分左側面図（図（ｄ））である。
【符号の説明】
【００５４】
１０  背部、  １４  表表紙、  １６  窓部、  １７  裏表紙、  １７ａ  自由端部、  １７ｂ  端部、  １７ｃ  内側面、  ２０  鍵盤楽器部、  ２１  白鍵、  ２２  黒鍵、  ２３  電子回路部、  ２５  操作部、  ３０  用紙束、  ３１  貫通穴、  ３２  綴じ部、  ３３  リング状部材
【図１】
0005298611.tif 000002
【図２】
0005298611.tif 000003
【図３】
0005298611.tif 000004